(57)【要約】【課題】広告の閲覧率を向上させる。【解決手段】格納手段１０内に用意された画像や音からなる広告情報が、提示制御手段３０によって、インターネットＮ経由で、街頭に設置された情報提示手段５０Ａへと供給され、通行人Ａ（広告提示対象者）に提示される。キーコード準備手段２０によって準備されたキーコードも、インターネットＮ経由で情報提示手段５０Ａへと供給され、広告情報の提示最中に、一瞬だけ提示される。広告を凝視していた通行人Ａは、キーコードを入手することができる。端末装置６０からサービス提供手段４０に対して、入手した正しいキーコードを入力すると、サービス提供手段４０から端末装置６０に対して、コンテンツの提供などのサービスが提供される。【選択図】　　　　図１
2004029495.tif 000002
【特許請求の範囲】
【請求項１】
広告提示対象者に画像もしくは音の形式で広告情報を提示するためのシステムであって、
画像もしくは音の形式により広告内容を表現した広告情報を格納する広告情報格納手段と、
前記広告提示対象者に提示するためのキーコードを準備するキーコード準備手段と、
前記広告情報もしくは前記キーコードを画像の形式で提示するディスプレイ装置と、前記広告情報もしくは前記キーコードを音の形式で提示するスピーカ装置と、の少なくとも一方を備えた情報提示手段と、
前記広告情報格納手段に格納されている広告情報を、前記情報提示手段に供給することにより、前記情報提示手段に広告情報を提示させる第１の機能と、前記キーコード準備手段で準備されたキーコードを、前記情報提示手段に供給することにより、前記情報提示手段に前記キーコードを一時的に提示させる第２の機能と、を有する提示制御手段と、
前記広告提示対象者から所定のキーコードの入力を受け付け、入力されたキーコードと前記キーコード準備手段によって準備されたキーコードとが合致することを条件として、前記広告提示対象者に対して所定のサービスを提供するサービス提供手段と、
を備えることを特徴とする広告情報の提示システム。
【請求項２】
請求項１に記載のシステムにおいて、
提示制御手段が、広告情報にキーコードを重畳させる処理を行うことにより、第１の機能による広告情報の提示と、第２の機能によるキーコードの提示とを並行して行うことを特徴とする広告情報の提示システム。
【請求項３】
請求項１に記載のシステムにおいて、
提示制御手段が、第１の機能による広告情報の提示を一時中断し、この中断期間中に、第２の機能によるキーコードの提示を行うことを特徴とする広告情報の提示システム。
【請求項４】
請求項１〜３のいずれかに記載のシステムにおいて、
キーコードとして、文字、数字、記号、もしくはこれらの組み合わせからなるコードを用い、このキーコードをディスプレイ装置の画面上に表示するか、または、このキーコードの読みを示す音声をスピーカ装置から鳴らすことにより、広告提示対象者に対するキーコードの提示を行うことを特徴とする広告情報の提示システム。
【請求項５】
請求項１〜４のいずれかに記載のシステムにおいて、
キーコード準備手段が、複数の異なるキーコードを準備する機能を有し、
情報提示手段が、前記複数の異なるキーコードを所定の時間間隔をおいて提示させる機能を有し、
サービス提供手段が、広告提示対象者から入力された複数のキーコードが前記キーコード準備手段によって準備された複数の異なるキーコードに合致することを条件として、所定のサービスの提供を行うことを特徴とする広告情報の提示システム。
【請求項６】
請求項１〜５のいずれかに記載のシステムにおいて、
互いに異なる場所に配置された複数の情報提示手段を備え、
キーコード準備手段が、前記複数の情報提示手段に応じて、それぞれ複数の異なるキーコードを準備する機能を有し、
提示制御手段が、異なる場所に配置された情報提示手段に対しては、異なるキーコードが提示されるようにする機能を有し、
サービス提供手段が、広告提示対象者から入力されたキーコードに基いて、当該キーコードが提示された場所を認識する機能を有することを特徴とする広告情報の提示システム。
【請求項７】
請求項１〜６のいずれかに記載のシステムにおいて、
サービス提供手段が、広告提示対象者から所定のキーコードが入力された時点と、当該キーコードに合致するキーコードが情報提示手段によって提示された時点と、の時間差が、所定の設定値以下の場合に限り、サービスの提供を行うことを特徴とする広告情報の提示システム。
【請求項８】
請求項１〜７のいずれかに記載のシステムにおいて、
提示制御手段が、情報提示手段とネットワークを介して交信する機能を有し、前記ネットワークを介して第１の機能および第２の機能を実行することを特徴とする広告情報の提示システム。
【請求項９】
請求項１〜８のいずれかに記載のシステムにおいて、
サービス提供手段が、広告提示対象者が操作するもしくは指定する端末装置とネットワークを介して交信する機能を有し、前記ネットワークを介してキーコードの入力を受け付け、前記ネットワークを介して所定のサービスの提供を行うことを特徴とする広告情報の提示システム。
【請求項１０】
請求項９に記載のシステムにおいて、
サービス提供手段が、広告提示対象者が操作するもしくは指定する端末装置に対して、所定の書式をもった応募ファイルを送信するファイル送信処理と、前記端末装置から、キーコードが書き込まれた前記応募ファイルを受信するファイル受信処理と、を行うことにより、キーコードの入力を受け付けることを特徴とする広告情報の提示システム。
【請求項１１】
請求項１０に記載のシステムにおいて、
端末装置に対して送信する応募ファイル内に、新たな広告情報が含まれていることを特徴とする広告情報の提示システム。
【請求項１２】
請求項９〜１１のいずれかに記載のシステムにおいて、
サービス提供手段から、広告提示対象者が操作するもしくは指定する端末装置に対して、ネットワークを介してデータもしくはプログラムの配信を行うことにより、広告提示対象者に対するサービスの提供が行われるようにしたことを特徴とする広告情報の提示システム。
【請求項１３】
請求項９〜１１のいずれかに記載のシステムにおいて、
サービス提供手段から、広告提示対象者が操作するもしくは指定する端末装置に対して、ネットワークを介してプログラムを利用させることにより、広告提示対象者に対するサービスの提供が行われるようにしたことを特徴とする広告情報の提示システム。
【請求項１４】
請求項１〜１３のいずれかに記載のシステムにおいて、
キーコード準備手段が、キーコードとともに、このキーコードを連想させるヒントを準備する機能を有し、
提示制御手段が、キーコードの代わりに、当該キーコードを連想させるヒントを供給する機能を有し、
情報提示手段が、キーコードの代わりに、当該キーコードを連想させるヒントを提示する機能を有することを特徴とする広告情報の提示システム。
【発明の詳細な説明】
【０００１】
【発明の属する技術分野】
本発明は、広告の提示対象者に対して、画像もしくは音の形式で広告情報を提示するためのシステムに関し、特に、街頭・公共施設・商業施設などにおいて、ディスプレイやスピーカを用いて、一般公衆に広告を提示するためのシステムに関する。
【０００２】
【従来の技術】
現在、電車の車内においては、乗客に対する広告提示方法として、吊り下げ広告や網棚上部の広告が盛んに利用されている。また、駅の構内や商業施設など、一般公衆が集まる施設においても、種々のポスターが貼られ、商業的な広告が行われている。このように、従来、公共の場における広告手法としては、紙媒体に広告情報を印刷したポスターを用いるのが一般的であった。しかしながら、近年、液晶ディスプレイなどの薄型のディスプレイ装置の表示品質や画面サイズが向上してきており、また、急速にコストダウンが図られてきているため、紙媒体のポスターの代わりに、電子媒体を利用して画像や音を提示する機能をもった広告情報の提示システムが普及しつつある。たとえば、電車の車内では、壁面に設けられた小型液晶ディスプレイ装置の画面上に、種々の広告が提示されるようになってきており、駅の構内や商業施設などでは、比較的大型の電光掲示板などを用いて、通行人に対して種々の広告が提示されている。
【０００３】
紙媒体上の広告に比べて、電子媒体上の広告では、静止画のみならず動画の提示が可能になり、スピーカ装置を用いて音を同時に提示することも可能になる。しかも、提示内容は、供給する画像データや音データに基いて、いつでも任意に変更できる、というメリットがある。ディスプレイ装置やスピーカ装置に対して供給する画像データや音データは、これらの装置に併設されたハードディスクなどの記憶媒体に用意しておけばよい。最近では、インターネットなどのネットワークを介して、画像データや音データを供給することも可能になってきているので、ディスプレイ装置に提示する広告の内容を、遠隔地に設置されたサーバ装置などで制御する機能をもった広告情報の提示システムも利用されている。
【０００４】
【発明が解決しようとする課題】
このように、電子媒体上で情報提示を行うシステムを利用した広告手法は、紙媒体を利用する旧来の広告手法に比べて種々のメリットが得られ、今後は、紙媒体の広告から電子媒体の広告への移行に、益々拍車がかけられるものと予想される。しかしながら、「一般公衆に広告を見てもらう」という広告本来の趣旨に立ち戻って考えてみると、電子媒体上での広告が紙媒体上での広告に比べて必ずしも優位であるとは限らない。広告の効果を評価する上では、閲覧率が極めて重要なファクターであり、広告スポンサーの一大関心事である。インターネットを利用してＷｅｂページを閲覧することが日常茶飯事となっている今日では、車内や街頭に設置されたディスプレイ画面上に広告情報が流されていたとしても、さほど一般公衆の注意を引くものではない。しかも、電子媒体を利用した広告が普及すればするほど、そのような広告に対する一般公衆の関心は薄れてゆくことが予想される。広告スポンサーの立場に立って、閲覧率を向上させるためには、同一内容の広告を長期間にわたって繰り返し映し出す必要が生じるが、そうすると、逆に一般公衆の立場からは、飽き飽きした広告内容が何度も提示されることになるため、関心は更に薄れてゆくことにもなりかねない。
【０００５】
そこで本発明は、より閲覧率を向上させることが可能な広告情報の提示システムを提供することを目的とする。
【０００６】
【課題を解決するための手段】
（１）　　本発明の第１の態様は、広告提示対象者に画像もしくは音の形式で広告情報を提示するための広告情報の提示システムにおいて、
画像もしくは音の形式により広告内容を表現した広告情報を格納する広告情報格納手段と、
広告提示対象者に提示するためのキーコードを準備するキーコード準備手段と、
広告情報もしくはキーコードを画像の形式で提示するディスプレイ装置と、広告情報もしくはキーコードを音の形式で提示するスピーカ装置と、の少なくとも一方を備えた情報提示手段と、
広告情報格納手段に格納されている広告情報を、情報提示手段に供給することにより、情報提示手段に広告情報を提示させる第１の機能と、キーコード準備手段で準備されたキーコードを、情報提示手段に供給することにより、情報提示手段にキーコードを一時的に提示させる第２の機能と、を有する提示制御手段と、
広告提示対象者から所定のキーコードの入力を受け付け、入力されたキーコードとキーコード準備手段によって準備されたキーコードとが合致することを条件として、広告提示対象者に対して所定のサービスを提供するサービス提供手段と、
を設けるようにしたものである。
【０００７】
（２）　　本発明の第２の態様は、上述の第１の態様に係る広告情報の提示システムにおいて、
提示制御手段が、広告情報にキーコードを重畳させる処理を行うことにより、第１の機能による広告情報の提示と、第２の機能によるキーコードの提示とを並行して行うようにしたものである。
【０００８】
（３）　　本発明の第３の態様は、上述の第１の態様に係る広告情報の提示システムにおいて、
提示制御手段が、第１の機能による広告情報の提示を一時中断し、この中断期間中に、第２の機能によるキーコードの提示を行うようにしたものである。
【０００９】
（４）　　本発明の第４の態様は、上述の第１〜第３の態様に係る広告情報の提示システムにおいて、
キーコードとして、文字、数字、記号、もしくはこれらの組み合わせからなるコードを用い、このキーコードをディスプレイ装置の画面上に表示するか、または、このキーコードの読みを示す音声をスピーカ装置から鳴らすことにより、広告提示対象者に対するキーコードの提示を行うようにしたものである。
【００１０】
（５）　　本発明の第５の態様は、上述の第１〜第４の態様に係る広告情報の提示システムにおいて、
キーコード準備手段が、複数の異なるキーコードを準備する機能を有し、
情報提示手段が、複数の異なるキーコードを所定の時間間隔をおいて提示させる機能を有し、
サービス提供手段が、広告提示対象者から入力された複数のキーコードがキーコード準備手段によって準備された複数の異なるキーコードに合致することを条件として、所定のサービスの提供を行うようにしたものである。
【００１１】
（６）　　本発明の第６の態様は、上述の第１〜第５の態様に係る広告情報の提示システムにおいて、
互いに異なる場所に配置された複数の情報提示手段を設けるようにし、
キーコード準備手段が、複数の情報提示手段に応じて、それぞれ複数の異なるキーコードを準備する機能を有し、
提示制御手段が、異なる場所に配置された情報提示手段に対しては、異なるキーコードが提示されるようにする機能を有し、
サービス提供手段が、広告提示対象者から入力されたキーコードに基いて、当該キーコードが提示された場所を認識する機能を有するようにしたものである。
【００１２】
（７）　　本発明の第７の態様は、上述の第１〜第６の態様に係る広告情報の提示システムにおいて、
サービス提供手段が、広告提示対象者から所定のキーコードが入力された時点と、当該キーコードに合致するキーコードが情報提示手段によって提示された時点と、の時間差が、所定の設定値以下の場合に限り、サービスの提供を行うようにしたものである。
【００１３】
（８）　　本発明の第８の態様は、上述の第１〜第７の態様に係る広告情報の提示システムにおいて、
提示制御手段が、情報提示手段とネットワークを介して交信する機能を有し、ネットワークを介して第１の機能および第２の機能を実行するようにしたものである。
【００１４】
（９）　　本発明の第９の態様は、上述の第１〜第８の態様に係る広告情報の提示システムにおいて、
サービス提供手段が、広告提示対象者が操作するもしくは指定する端末装置とネットワークを介して交信する機能を有し、ネットワークを介してキーコードの入力を受け付け、ネットワークを介して所定のサービスの提供を行うようにしたものである。
【００１５】
（１０）　本発明の第１０の態様は、上述の第９の態様に係る広告情報の提示システムにおいて、
サービス提供手段が、広告提示対象者が操作するもしくは指定する端末装置に対して、所定の書式をもった応募ファイルを送信するファイル送信処理と、この端末装置から、キーコードが書き込まれた応募ファイルを受信するファイル受信処理と、を行うことにより、キーコードの入力を受け付けるようにしたものである。
【００１６】
（１１）　本発明の第１１の態様は、上述の第１０の態様に係る広告情報の提示システムにおいて、
端末装置に対して送信する応募ファイル内に、新たな広告情報を含ませるようにしたものである。
【００１７】
（１２）　本発明の第１２の態様は、上述の第９〜第１１の態様に係る広告情報の提示システムにおいて、
サービス提供手段から、広告提示対象者が操作するもしくは指定する端末装置に対して、ネットワークを介してデータもしくはプログラムの配信を行うことにより、広告提示対象者に対するサービスの提供が行われるようにしたものである。
【００１８】
（１３）　本発明の第１３の態様は、上述の第９〜第１１の態様に係る広告情報の提示システムにおいて、
サービス提供手段から、広告提示対象者が操作するもしくは指定する端末装置に対して、ネットワークを介してプログラムを利用させることにより、広告提示対象者に対するサービスの提供が行われるようにしたものである。
【００１９】
（１４）　本発明の第１４の態様は、上述の第１〜第１３の態様に係る広告情報の提示システムにおいて、
キーコード準備手段が、キーコードとともに、このキーコードを連想させるヒントを準備する機能を有し、
提示制御手段が、キーコードの代わりに、当該キーコードを連想させるヒントを供給する機能を有し、
情報提示手段が、キーコードの代わりに、当該キーコードを連想させるヒントを提示する機能を有するようにしたものである。
【００２０】
【発明の実施の形態】
§１．本発明の代表的な実施形態
ここでは、まず、本発明の代表的な実施形態を、図１のブロック図に基いて説明する。この図１に示す広告情報の提示システムは、街頭や公共施設などにおいて、ディスプレイ装置やスピーカ装置を用いて、一般公衆に広告を提示するためのシステムである。ここでは、本発明の代表例として、インターネットＮを利用した実施形態を説明することにするが、後述するように、本発明を実施する上では、必ずしもインターネットを利用する必要はない。
【００２１】
図示のシステムは、電車の乗客、商業施設に来訪した利用客、その他、街頭における通行者などの一般公衆を広告提示対象者として、画像もしくは音の形式で広告情報を提示する機能をもったシステムであり、従来の広告情報の提示システムに比べて、広告の閲覧率を向上させるという特有の作用効果を奏するものである。図示のとおり、この広告情報の提示システムは、広告情報格納手段１０、キーコード準備手段２０、提示制御手段３０、サービス提供手段４０、情報提示手段５０（この例では、５０Ａと５０Ｂの２組が示されている）によって構成されている。この広告情報の提示システムを利用した特有の広告提示を実行するには、更に、広告提示対象者（この例では、Ａ，Ｂの両名）が操作する端末装置６０（この例では、６０Ａと６０Ｂの２組が示されている）とインターネットＮが利用される。
【００２２】
広告情報格納手段１０は、画像もしくは音の形式により広告内容を表現した広告情報を格納する手段であり、実用上は、ハードディスク装置などのデータ記憶装置に広告用の静止画データ、動画データ、音声データなどを格納することにより構成されている。この広告情報格納手段１０内に格納された広告情報は、情報提示手段５０において提示可能なデータ形式になっている。実際の運用上は、広告情報格納手段１０内には、多数の広告スポンサーから広告を依頼された多種類の広告情報が格納され、必要に応じて適宜出力されることになる。
【００２３】
一方、キーコード準備手段２０は、広告提示対象者Ａ，Ｂに提示するためのキーコードを準備する機能をもった構成要素である。ここでは、図示の便宜上、２名の広告提示対象者Ａ，Ｂのみを示すが、実際には、これらの広告提示対象者は、電車の乗客、商業施設の利用客、その他、街頭における通行者などの一般公衆であり、不特定多数の者である。したがって、キーコード準備手段２０によって準備されたキーコードは、特定の個人Ａや個人Ｂに向けたものではなく、不特定多数の一般公衆を広告提示対象者と仮定し、これら不特定多数の者に向けたものということになる。
【００２４】
ここで、キーコードとは、広告提示対象者に対して提示することが可能な何らかのコードを広く含むものであり、この実施形態の場合、具体的には、文字、数字、記号、もしくはこれらの組み合わせからなるコードが用いられている。キーコード準備手段２０は、このようなキーコードを何らかの方法で準備する機能を有していればよい。たとえば、予めオペレータが設定したキーコードを単に記憶格納しておくだけでもよい。この場合、キーコード準備手段２０は、ハードディスクなどの記憶装置によって構成することができる。あるいは、自動的にキーコードを発生する機能をもったコンピュータによって、キーコード準備手段２０を構成することも可能である。たとえば、乱数、日付、時刻などを用いて、所定のアルゴリズムに基く演算を行い、何らかのコードを発生させるプログラムを組み込んだコンピュータによりキーコード準備手段２０を構成しておけば、オペレータが設定入力を行うことなしに、キーコード準備手段２０自身が自動的に所定のキーコードを発生させ、これを出力することができるようになる。
【００２５】
情報提示手段５０は、広告情報格納手段１０に格納されている広告情報およびキーコード準備手段２０によって準備されたキーコードを、広告提示対象者に提示する機能を有する。本発明を実施する上では、情報提示手段５０は最低限１組あればよいが、図示の実施形態では、情報提示手段５０Ａ，５０Ｂの２組を用意している。もっとも、実際の運用上は、より多数の情報提示手段５０を設けるようにするのが好ましい。図示のとおり、情報提示手段５０Ａは、ディスプレイ装置５１Ａおよびスピーカ装置５２Ａを有しており、画像および音の双方を広告提示対象者Ａへ提示することができる。同様に、情報提示手段５０Ｂは、ディスプレイ装置５１Ｂおよびスピーカ装置５２Ｂを有しており、画像および音の双方を広告提示対象者Ｂへ提示することができる。このように、ディスプレイ装置とスピーカ装置とを備えた情報提示手段５０としては、現在、電車内、駅構内、その他の商業施設などに設置されているものをそのまま利用することができる。
【００２６】
なお、情報提示手段５０は、必ずしもディスプレイ装置５１とスピーカ装置５２との双方を備えている必要はない。たとえば、図書館や美術館などが近接するため、広告を音声として提示することが好ましくない場所では、ディスプレイ装置のみからなる情報提示手段５０を配置すればよい。この場合、広告情報とキーコードとの双方が、画像の形式で広告提示対象者に提示されることになる。逆に、喫茶店の店内やトイレなど、広告を画像として提示することが好ましくない場所では、スピーカ装置のみからなる情報提示手段５０を配置すればよい。この場合、広告情報とキーコードとの双方が、音の形式で広告提示対象者に提示されることになる。もっとも、実用上は、ディスプレイ装置５１とスピーカ装置５２との双方を備えた情報提示手段５０を用いるのが一般的であり、この場合、広告情報およびキーコードが、それぞれ少なくとも一方から提示されればよい。
【００２７】
提示制御手段３０は、広告情報格納手段１０に格納されている広告情報を、情報提示手段５０に供給することにより、情報提示手段５０に広告情報を提示させる第１の機能と、キーコード準備手段２０で準備されたキーコードを、情報提示手段５０に供給することにより、情報提示手段５０にキーコードを一時的に提示させる第２の機能と、を有している。この実施形態の場合、広告情報およびキーコードは、インターネットＮを介して、情報提示手段５０（図示の例では、５０Ａ，５０Ｂ）に供給されることになる。このように、インターネットＮなどのネットワークを介して、遠隔地に設置されたディスプレイ装置やスピーカ装置に、画像データや音データを供給し、画像や音の提示を行う技術は既に公知の技術であるため、ここでは具体的な方法についての詳しい説明は省略する。
【００２８】
ここでは、具体例として、図２（ａ）　に示すような画像データ（静止画でも動画でもよい）と、図２（ｂ）　に示すような音声データ（図では、便宜上、文字列で示すが、実際にはナレーションからなる音声のデータである）と、によって、広告情報が構成されていたとしよう。このような広告情報は、たとえば、ブライダル産業に参画する企業からの依頼により作成され、広告情報格納手段１０内に格納されているデジタルコンテンツということになる。提示制御手段３０は、このような広告情報を構成する画像データおよび音声データを、インターネットＮ経由で、たとえば、情報提示手段５０Ａへと送信し、ディスプレイ装置５１Ａにより画像データの提示が行われ、スピーカ装置５２Ａにより音声データの提示が行われるようにする。もちろん、情報提示手段５０Ｂへと送信が行われた場合は、ディスプレイ装置５１Ｂにより画像データの提示が行われ、スピーカ装置５２Ｂにより音声データの提示が行われることになる。
【００２９】
また、提示制御手段３０は、キーコード準備手段２０によって準備された所定のキーコードを、同様に、インターネットＮ経由で、情報提示手段５０Ａへと送信し、ディスプレイ装置５１Ａによって画像データとして提示するか、あるいはスピーカ装置５２Ａによって音声データとして提示するようにする。この実施形態では、キーコード準備手段２０によって準備されるキーコードは、文字、数字、記号、もしくはこれらの組み合わせからなるコードとなっているので、このキーコードをディスプレイ装置５１Ａの画面上に表示するか、または、このキーコードの読みを示す音声をスピーカ装置５２Ａから鳴らすことにより、広告提示対象者に対するキーコードの提示を行うことになる。情報提示手段５０Ｂについても同様に、ディスプレイ装置５１Ｂあるいはスピーカ装置５２Ｂによって、キーコードの提示が行われる。
【００３０】
ここでは、具体的に「ＡＡＰ９３６」なるアルファベットおよび数字の組み合わせからなる文字コードがキーコード準備手段２０によって準備されていたとしよう。提示制御手段３０は、この文字コード「ＡＡＰ９３６」を情報提示手段５０Ａへと送信し、画像もしくは音（あるいは、その双方でもかまわない）の形式で、広告提示対象者に提示されるような制御を行うことになる。キーコードがディスプレイ装置５１Ａの表示画面上に画像の形式で提示されるようにするためには、文字コード「ＡＡＰ９３６」を所定のフォントで表現した画像データを作成し、ディスプレイ画面上の所定位置に表示させる処理が行われる。一方、スピーカ装置５２Ａにより音声の形式で提示されるようにするためには、文字コード「ＡＡＰ９３６」の各文字の読み（エイ・エイ・ピ−・キュウ・サン・ロク）に相当する音声信号を作成し、スピーカを鳴動させる処理が行われる。
【００３１】
このように、情報提示手段５０Ａは、広告情報格納手段１０に格納されていた広告情報と、キーコード準備手段２０によって準備されたキーコードと、の双方を広告提示対象者に対して提示する機能を有しているが、ここで重要な点は、広告情報については、デジタルコンテンツとしての通常の提示が行われるのに対し、キーコードについては、一時的な提示が行われる、という点である。ここで、キーコードについての「一時的な提示」とは、「広告情報の提示時間に比べて十分に短い時間の提示」という意味である。たとえば、１分間の広告情報を提示するのであれば、キーコードを一瞬、あるいは数秒程度（もちろん、提示秒数に厳密な制限はなく、１０秒程度でもかまわない）だけ提示するようにすればよい。
【００３２】
こうした提示内容の制御は、提示制御手段３０によって実行される。既に述べたとおり、この提示制御手段３０は、デジタルコンテンツからなる広告情報の提示を行う第１の機能と、キーコードの一時的な提示を行う第２の機能と、を有しているが、このような２つの機能を実際に行うためには、次のような２とおりの方法が考えられる。
【００３３】
第１の方法は、広告情報にキーコードを重畳させる処理を行うことにより、第１の機能による広告情報の提示と、第２の機能によるキーコードの提示とを並行して行う方法である。たとえば、図２（ａ）　に示す画像データが、動画のデータ（いわゆる映画形式のコンテンツ）であったとすると、この動画データの所定の時間帯に相当する部分に、「ＡＡＰ９３６」なる文字列からなるキーコードを重畳させる処理を行えば、一時的に両者を同時に提示することが可能になる。このような重畳処理は、いわゆる字幕のスーパーインポーズ処理として行うことができる。図３（ａ）　は、このような重畳処理が行われた場面の一例を示す図である。図示の例では、表示画面の左上部分に、「ＡＡＰ９３６」なるキーコードの重畳表示がなされている。広告提示対象者が、この動画データからなる広告情報を閲覧していると、あるシーンから数秒程度だけ、画面左上に現れた「ＡＡＰ９３６」なるキーコードを目にすることになる。このキーコード表示は一時的なものであり、やがて画面からは消えてしまう。あるいは、図２（ａ）　に示す動画の画面上に別な小さなウインドウを一時的に重ねて表示し、このウインドウ内に「ＡＡＰ９３６」なるキーコードを表示してもよい。
【００３４】
第２の方法は、第１の機能による広告情報の提示を一時中断し、この中断期間中に、第２の機能によるキーコードの提示を行う方法である。たとえば、図２（ａ）　に示す画像データが、動画のデータであった場合、この動画の提示を一時的に中断し、図３（ｂ）　に示すように、画面中央に「ＡＡＰ９３６」なる文字列からなるキーコードを数秒提示した後、再び、動画の提示を再開すれば、広告情報の提示に一時的に割り込ませる形式で、キーコードの提示を行うことが可能になる。このような方法を採った場合、広告提示対象者は、動画データからなる広告情報の閲覧中に、突然、図３（ｂ）　に示すような「ＡＡＰ９３６」なるキーコードの画面を目にすることになり、数秒後に、元の広告情報の閲覧を続行することになる。
【００３５】
これらの方法によるキーコードの一時的な提示は、１回だけであってもよいし、複数回繰り返すようにしてもよい。複数回繰り返す場合には、規則的な繰り返しを行ってもよいし、不規則な繰り返しを行ってもよい。たとえば、１分間の広告情報を動画によって提示している最中に、同一のキーコードを３回繰り返して提示する場合であれば、２０秒周期で３回キーコードの提示を行うようにしてもよいし、全くランダムな時間間隔で３回キーコードの提示を行うようにしてもよい。もっとも、本発明の効果をより高める上では、できるだけ広告提示対象者に予期できないようなタイミングで、キーコードの提示が行われるようにするのが好ましい。
【００３６】
本発明の主眼は、このように広告情報の提示中に重畳して、もしくは、割り込ませるようして、所定のキーコードを提示するようにし、このキーコードの取得により、何らかの褒美を与えるようにする点にある。既に述べたように、インターネットを利用してＷｅｂページを閲覧することが日常茶飯事となっている今日では、ディスプレイ画面上の広告情報は、さほど広告提示対象者の注意を引くものではなくなってきている。しかしながら、広告情報の提示中に一時的に提示されるキーコードを取得することにより、何らかの褒美が与えられる、という事実が予め知らされていれば、広告提示対象者の関心は自ずから高まることになる。特に、キーコードの提示タイミングが予期できない場合、広告提示対象者は、一瞬しか提示されないキーコードを見逃すことがないように、ディスプレイ画面上の広告情報を凝視することになろう。本発明の背景にある基本思想は、このように、キーコードという褒美を餌として提示することにより、広告提示対象者の広告情報に対する関心を高め、閲覧率を向上させる点にある。
【００３７】
なお、「キーコードを取得することにより、何らかの褒美が与えられる」という事実は、種々の方法で、広告提示対象者に知らしめることができる。たとえば、提示する広告情報の中に、そのような事実を説明する案内を入れておくこともできるし、ディスプレイ画面の外側に、そのような案内文を明記しておくこともできる。あるいは、ＴＶ，新聞，雑誌，Ｗｅｂページなどを利用したキャンペーンを行い、大々的に周知にさせることも可能である。たとえば、「○月○日、午後８時よりの一時間、○○駅前の電光掲示板に一瞬だけ表示されるキーコードをゲットしよう！！」というようなメッセージをＴＶ，新聞，雑誌，Ｗｅｂページなどで流せば、必然的に一般公衆の関心は高まることになる。
【００３８】
さて、図１に示す広告情報の提示システムにおけるサービス提供手段４０は、こうしてキーコードを取得した広告提示対象者に対して、褒美を与える機能をもった構成要素である。すなわち、サービス提供手段４０は、広告提示対象者から所定のキーコードの入力を受け付け、入力されたキーコードとキーコード準備手段２０によって準備されたキーコードとが合致することを条件として、当該広告提示対象者に対して所定のサービスを提供する機能を有している。
【００３９】
たとえば、広告提示対象者Ａが、情報提示手段５０Ａによって提示された「ＡＡＰ９３６」なるキーコードを入手したものとしよう。この場合、広告提示対象者Ａが、サービス提供手段４０に対して、「ＡＡＰ９３６」なるキーコードを入力すると、サービス提供手段４０は、この入力されたキーコードが、キーコード準備手段２０によって準備されたキーコードと合致するか否かを判定する処理を行う。両者が合致すれば、広告提示対象者Ａが入力したキーコード「ＡＡＰ９３６」は、確かに、キーコード準備手段２０によって準備され、情報提示手段５０Ａによって提示されたキーコードである、との認定が行われ、サービス提供手段４０から広告提示対象者Ａに対して、所定のサービスの提供（すなわち、褒美の提供）が行われる。
【００４０】
ここに示す実施形態は、インターネットＮを利用した実施形態であるので、サービス提供手段４０は、広告提示対象者が操作する端末装置６０とインターネットＮを介して交信する機能を有し、インターネットＮを介してキーコードの入力を受け付け、インターネットＮを介して所定のサービスの提供を行う機能を有している。図示の例の場合、広告提示対象者Ａは携帯電話６０Ａを端末装置６０として利用しており、広告提示対象者Ｂはパソコン６０Ｂを端末装置６０として利用しているが、広告提示対象者が利用する端末装置は、この他、どのようなものでもかまわない。
【００４１】
広告提示対象者Ａ，Ｂから、サービス提供手段４０に対して、入手したキーコードを入力する具体的な方法としては、種々の方法を採ることが可能である。たとえば、サービス提供手段４０の一部としてＷｅｂサーバを設置し、このＷｅｂサーバが提供するＷｅｂページ上の入力欄に、入手したキーコードを入力してもらうようなことも可能である。また、サービス提供手段４０の一部としてメールサーバを設置し、このメールサーバに対して電子メールを送信してもらうようにし、当該電子メール内に入手したキーコードを書き込んでもらうようにしてもよい。
【００４２】
ただ、ここに示す実施形態の場合、サービス提供手段４０に、広告提示対象者Ａ，Ｂが操作する端末装置６０Ａ，６０Ｂに対して（もしくは、広告提示対象者が指定する任意の端末装置に対して）、所定の書式をもった応募ファイルを送信するファイル送信処理と、当該端末装置から、キーコードが書き込まれた応募ファイルを受信するファイル受信処理と、を行う機能をもたせておき、この機能を利用して、キーコードの入力を受け付けることができるようにしている。
【００４３】
具体的には、たとえば、広告提示対象者Ａが所定のキーコード「ＡＡＰ９３６」を入手した場合、まず、サービス提供手段４０が提供するＷｅｂページから、所定の応募ファイルのダウンロードを行う。もちろん、応募ファイルは、必ずしも現在操作中の端末装置へダウンロードさせる必要はなく、任意の端末装置の電子メールアドレスなどを指定し、指定した端末装置宛に送信させるようにしてもかまわない。この応募ファイルは、インターネットＮにアクセスする機能をもった標準的な携帯電話６０Ａやパソコン６０Ｂなどの端末装置６０によって開くことができる汎用フォーマットのファイルとしておくのが好ましい。図４は、このような応募ファイル７０を端末装置６０で開いた状態を示す図である。応募説明欄７１には、このキャンペーンの説明が記載されており、広告提示対象者Ａは、この説明を読んだ上で、キーコード入力欄７２に「ＡＡＰ９３６」なるキーコードを入力する。そして、このキーコードを書き込んだ応募ファイル７０を、電子メールの添付ファイルとして、サービス提供手段４０へと送信する操作を行えばよい。サービス提供手段４０は、受信した電子メールに添付されている応募ファイル７０から、キーコードの部分を抽出し、キーコード準備手段２０によって準備されたキーコードに合致するか判断し、合致した場合には、広告提示対象者Ａに対して所定のサービスを提供する。
【００４４】
このような方法で、サービス提供手段４０に対するキーコードの入力を行うと、予め定められた所定のフォーマットにより、キーコードの入力を受け付けることができるようになる。すなわち、広告提示対象者からのキーコードは、必ず応募ファイル７０という所定のフォーマットで記述されたファイル内のデータとして入力されるので、応募ファイル７０内からキーコードを抽出する処理は極めて簡単に行うことができる。また、応募ファイル７０を、電子メールの添付書類として返送してもらう形になるので、当該電子メールに含まれている送信者の情報に基いて、応募を行った広告提示対象者の電子メールアドレスを認識することができる。この応募者の電子メールアドレスは、当該応募者に所定のサービスを提供する上で必要になる。
【００４５】
なお、図４に示す応募ファイル７０には、更に、広告欄７３が設けられており、ここに任意の広告情報を記載することができる。このように端末装置６０に対して送信する応募ファイル７０内に、新たな広告情報を含ませておくようにすれば、広告の効率を更に高めることが可能になる。もちろん、広告欄７３に記載する広告情報は、広告情報格納手段１０に用意した広告情報に関連したものであってもよいし、全く別なものであってもかまわない。
【００４６】
前述したように、ここに示す実施形態は、インターネットＮを利用した実施形態であるので、サービス提供手段４０は、インターネットＮを介して、広告提示対象者Ａ，Ｂに所定のサービスの提供を行う。具体的なサービスの内容としては、広告提示対象者が操作するもしくは指定する端末装置に対するデータもしくはプログラムの配信である。サービスの提供を受ける者は、現在自分が操作中の端末装置に対してデータやプログラムの配信を受けてもよいし、任意の別な端末装置を指定して（たとえば、電子メールアドレスなどを指定して）、この指定した端末装置に対して配信を受けるようにしてもよい。実際には、たとえば、パソコンの画面に貼り付ける壁紙データを配信したり、パソコン用のスクリーンセーバとして機能するプログラムを配信したりすることができる。図４に示す応募ファイル７０は、スクリーンセーバをプレゼントするキャンペーンについてのものである。もちろん、配信対象としては、天気予報や株価情報などの実用的なデータであってもよいし、音楽データや画像データなどの有用なデジタルコンテンツであってもよい。
【００４７】
また、広告提示対象者が操作するもしくは指定する端末装置に対して、ネットワークを介してプログラムを利用させる、というサービス提供も可能である。たとえば、サービス提供手段４０内にデータベースのプログラムを用意しておき、端末装置６０からインターネットＮ経由で、このデータベースのプログラムを無償で利用させる、というようなサービスも可能である。あるいは、何らかの利用権を与えるためのアカウントとパスワードを配信するようなサービスを行ってもかまわないし、懸賞などの応募権を与えるようなサービスを行ってもかまわない。
【００４８】
§２．本発明の変形例
以上、§１では、本発明の代表的な実施形態を図１のブロック図に基いて説明した。続いて、ここでは、本発明に係る広告情報の提示システムの変形例をいくつか述べることにする。
【００４９】
（１）　　音によるキーコードの提示
図３（ａ）　，（ｂ）　に示す実施形態は、キーコードを画像として広告提示対象者に提示した例であるが、もちろん、本発明におけるキーコードの提示は、音によって行ってもかまわない。上述したように、「ＡＡＰ９３６」なるキーコードは、「エイ・エイ・ピー・キュウ・サン・ロク」なる読みによって音声として提示することが可能である。したがって、スピーカ装置から、図２（ｂ）　に示すような広告情報を構成する音声データの読みを提示しているときに、これに重畳して、あるいはこれを中断して、キーコードの読みを提示するようにすれば、音によるキーコードの提示を行うことができる。
【００５０】
（２）　　複数のキーコードの時間差提示
上述の例では、「ＡＡＰ９３６」なる単一のキーコードが一括して提示され、この単一のキーコードをサービス提供手段４０に入力することにより、所定のサービスの提供を受けることができたが、サービスの提供を行う条件として、複数の異なるキーコードの合致を条件とすることも可能である。この場合、キーコード準備手段２０には、複数の異なるキーコードを一群のキーコードとして準備させるようにし、情報提示手段５０によって、この複数の異なるキーコードを提示するようにすればよい。広告提示対象者が、提示されたすべてのキーコードをサービス提供手段４０に対して入力すると、これらのキーコードが、キーコード準備手段２０の準備した一群のキーコードと合致するかが判断され、すべてのキーコードが合致した場合に限って、所定のサービスの提供が行われることになる。
【００５１】
たとえば、前述の例では、「ＡＡＰ９３６」なる文字列が全体で１つのキーコードを構成していたが、「Ｈ」，「Ｏ」，「Ｐ」，「Ｅ」なる４つの文字を、それぞれ１文字が１つのキーコードを構成し、これら４つの文字で一群のキーコードが形成されるような定義をしておいた場合には、これら４文字をそれぞれ異なるタイミングで提示するようにすればよい。具体的には、広告情報を構成する動画を提示している最中に、所定のタイミングで表示画面の左上に、図５（ａ）　〜（ｄ）　に示すように、「Ｈ」，「Ｏ」，「Ｐ」，「Ｅ」なる４つの文字が、それぞれ数秒ずつ所定の時間間隔をおいて提示されるようにすればよい。広告提示対象者は、複数のキーコードを見落とすことがないように、提示される広告情報に注視することにより、最終的に、この４つのキーコードを入手することができる。
【００５２】
サービス提供手段４０は、広告提示対象者から入力された４つのキーコードがキーコード準備手段２０によって準備された４つのキーコード「Ｈ」，「Ｏ」，「Ｐ」，「Ｅ」に合致することを条件として、所定のサービスの提供を行うことになる。このとき、４つのキーコードの入力順序は不問にして合致判断を行ってもよいし、入力順序までを考慮して、正しい提示順に入力されることを合致の条件としてもよい。
【００５３】
もちろん、複数のキーコードを提示する時間間隔を更に長くすることも可能である。たとえば、１日のうちの朝、昼、晩にそれぞれ何らかの広告情報を流し、朝、昼、晩でそれぞれ異なるキーコードを提示するようにし、３つのキーコードを入力することを条件としてサービスの提供が行われるようにしてもよい。あるいは、時間間隔を更に伸ばし、１週間にわたって、毎日、それぞれ所定のキーコードを１つずつ提示するようにし、合計７つのキーコードを入力することを条件として、サービスの提供が行われるようにしてもよい。
【００５４】
（３）　　異なる場所でのキーコード提示
図１に示す実施形態では、２組の情報提示手段５０Ａ，５０Ｂを設置した例が示されているが、本発明を実施する上では、より多数の情報提示手段５０を設置した運用が一般的な形態になる。すなわち、実用上は、電車の車両内、各駅の構内、種々の商業施設や街頭スポットなど、多数の場所にそれぞれ情報提示手段５０が配置されることになる。このように、互いに異なる場所に配置された複数の情報提示手段を利用する場合には、キーコード準備手段２０によって、個々の場所に設置された情報提示手段に応じて、それぞれ異なるキーコードを準備するようにしておき、提示制御手段３０によって、異なる場所に配置された情報提示手段に対しては、異なるキーコードが提示されるようにするのが好ましい。そうすれば、サービス提供手段４０は、広告提示対象者から入力されたキーコードに基いて、当該キーコードが提示された場所を認識することが可能になる。
【００５５】
たとえば、図１に示す実施形態において、情報提示手段５０Ａによって提示するキーコードとして、「ＡＡＰ９３６」のように、先頭に「ＡＡ」なる文字がくるキーコードを必ず用いるようにし、情報提示手段５０Ｂによって提示するキーコードとして、「ＢＢＦ１４９」のように、先頭に「ＢＢ」なる文字がくるキーコードを必ず用いるようにしておけば、サービス提供手段４０は、広告提示対象者が入力してきたキーコードが、情報提示手段５０Ａまたは５０Ｂのいずれで提示されたキーコードであるかを認識することができる。このように、キーコードの提示場所を認識することは、各提示場所における広告の閲覧率を推定するための統計データを得る上で、非常に重要である。もちろん、別法として、キーコードの一部をディスプレイ装置のフレーム部分に表示しておくような方法を採ることも可能である。たとえば、図１に示す実施形態において、ディスプレイ装置５１Ａのフレーム部分には「ＡＡＰ」なる文字を描いておき、ディスプレイ装置５１Ｂのフレーム部分には「ＢＢＦ」なる文字を描いておき、ディスプレイの画面にはいずれも「１２３」なるコードを一時的に提示したとしよう。ここで、広告提示対象者が所定のサービスを受けるために入力すべきキーコードとしては、ディスプレイ装置のフレーム部分に描かれた文字と画面内に一時的に表示された数字との組み合わせコードを使ってもらうようにする。そうすれば、「ＡＡＰ１２３」なるキーコードが入力された場合は、ディスプレイ装置５１Ａを見た者からの入力であると認識でき、「ＢＢＦ１２３」なるキーコードが入力された場合は、ディスプレイ装置５１Ｂを見た者からの入力であると認識することができる。もちろん、この場合、「１２３」なる数字だけでなく「ＡＡＰ」や「ＢＢＦ」なる文字列もキーコードの一部としてキーコード準備手段２０内に格納しておき、キーコードの一致判断ができるようにしておく。
【００５６】
各提示場所における広告閲覧率を推定する情報が得られれば、これを広告料に反映させるようなことも可能になる。たとえば、Ｘ駅、Ｙ駅、Ｚ駅のそれぞれに情報提示手段が設置されており、各情報提示手段から提示されるキーコードがそれぞれ識別可能になるようにしておいた場合に、Ｘ駅で提示されたキーコードのサービス提供手段４０への入力回数が５１回、Ｙ駅で提示されたキーコードの入力回数が３００回、Ｘ駅で提示されたキーコードの入力回数が４８回、というような結果が得られたとすれば、Ｙ駅で提示された広告情報の閲覧率は、他の２駅の閲覧率に比べて、統計的には６倍ほど高い、という事実が認識できる。このように、個々の情報提示場所ごとに客観的な閲覧率に関するデータを得ることができれば、各情報提示場所ごとに、それぞれ閲覧率に応じた異なる広告料設定を行うことができるようになる。
【００５７】
（４）　　提示されたキーコードの有効期限
本発明の本来の趣旨は、広告情報を閲覧した者に対して、所定のキーコードを提示し、このキーコードによって所定のサービスを褒美として与える、というものである。しかしながら、実用上は、このような本来の趣旨に沿わない利用形態が行われる可能性がある。たとえば、実際に広告情報を閲覧し、キーコードを入手した者が、家族や友人など、多数の者にキーコードのみを伝えて、これら多数の者にも自分が受けたサービスと同様のサービスを提供させようと考えた場合、上述した代表的な実施形態の場合、実際には広告情報を閲覧していない者にまで、サービスの提供が行われてしまうことになる。
【００５８】
このような利用形態を防止するためには、広告提示対象者から所定のキーコードが入力された時点と、当該キーコードに合致するキーコードが情報提示手段によって提示された時点と、の時間差が、所定の設定値以下の場合に限り、サービスの提供が行われるようにすればよい。たとえば、午後８：００に「ＡＡＰ９３６」なるキーコードが提示された場合、当該キーコードの有効期限を提示から３０分間と定めておけば、サービス提供手段４０に対して、午後８：３０までに「ＡＡＰ９３６」なるキーコードが提示された場合に限って、所定のサービスの提供が行われることになる。それ以降は、「ＡＡＰ９３６」なるキーコードは無効になるので、上述したような不正な利用形態が実施されることを抑制することができる。なお、このように、キーコードに有効期限を設けるためには、個々のキーコードごとに、情報提示手段から提示された時刻を、サービス提供手段４０へ報告するような機構を設けておく必要がある。
【００５９】
あるいは、同一のキーコード入力によるサービス提供の回数を制限するようにしてもよい。たとえば、「ＡＡＰ９３６」といった同一のキーコードの提示に対するサービス提供は、合計５０回までを限度とする、というような取り決めを行っておき、５１回目以降の応募については、サービスの提供を行わないようにする、といった対策を行えば、同一キーコードによって、無尽蔵にサービス提供が行われることを防ぐことができる。
【００６０】
（５）　　スタンドアロン形式の情報提示手段
図１に示す実施形態では、提示制御手段３０と情報提示手段５０との間の交信がインターネットＮを介して実行されているが、本発明は、必ずしもインターネットＮなどのネットワークを利用する必要はない。たとえば、図１において、広告情報格納手段１０、キーコード準備手段２０、提示制御手段３０、情報提示手段５０を、同一の筐体内に収容し、全体として、いわゆるスタンドアロン形式の情報提示手段が構成されるようにすれば、ネットワークを利用して広告情報やキーコードを伝達する必要はなくなる。
【００６１】
また、キーコード準備手段２０とサービス提供手段４０とに、同一のアルゴリズムに基くキーコード発生機能を設けておけば、キーコード準備手段２０からサービス提供手段４０へキーコードを伝達することなしに、サービス提供手段４０は、広告提示対象者から入力されたキーコードが、キーコード準備手段２０において準備されていたキーコードに合致するか否かを判断することができる。
【００６２】
ただ、実用上は、上述したように、多数の情報提示手段を種々の場所に設置した運用を行うのが好ましく、この場合には、図１に示す実施形態のように、インターネットＮを利用して、広告情報およびキーコードを、各情報提示手段へと伝送するのが最も効率的である。実際のビジネスの運営形態としては、図１に示す広告情報格納手段１０、キーコード準備手段２０、提示制御手段３０、サービス提供手段４０を、たとえば、広告代理業務を行う事業体が設置するようにし、情報提示手段５０を、鉄道会社や商業施設を運営する個々の事業体が設置するようにし、広告代理業務を行う事業体が、広くスポンサーを募って広告情報を収集し、鉄道会社や商業施設を運営する個々の事業体の協力のもとに、当該システムによる広告提供事業を行うという形態が一般的であろう。
【００６３】
（６）　　スタンドアロン形式のサービス提供手段
図１に示す実施形態では、広告提示対象者の操作する端末装置６０とサービス提供手段４０との間の交信が、インターネットＮを介して実行されているが、本発明は、必ずしもインターネットＮなどのネットワークを利用する必要はない。たとえば、図１において、サービス提供手段４０をいわゆるスタンドアロン形式の装置として複数台用意するようにし、個々の情報提示手段５０Ａ，５０Ｂの近傍に設置しておくようにすれば、キーコードを入手した広告提示対象者Ａ，Ｂは、端末装置６０を用いることなしに、近傍に設置したサービス提供手段４０に、入手したキーコードを直接入力することにより、直ちに所定のサービスを受けることができるようになる。
【００６４】
このように、サービス提供手段４０をスタンドアロン形式の装置として設置し、キーコードの直接入力を行わせるようにする場合は、物理的に何らかの景品を引き渡すようなサービスを行うことが可能になる。たとえば、缶ジュースの自動販売機の機構をもった装置をサービス提供手段４０として設置しておき、正しいキーコードの入力があった場合には、キーコードを入力した広告提示対象者に対して、缶ジュースを提供するサービスを行うことができる。
【００６５】
（７）　　キーコードの代わりにヒントを提示する例
これまで述べた実施形態では、画像や音といった形式の相違はあるにせよ、いずれもキーコード準備手段２０で準備されたキーコードそれ自身を広告提示対象者に明示的に提示する、という方法を採っていたが、本発明を実施する上では、必ずしもキーコードそれ自身を明示的に示す必要はなく、暗示的に示すような形態を採ることも可能である。
【００６６】
たとえば、キーコード準備手段２０に、キーコードとともに、このキーコードを連想させるヒントを準備する機能を付加しておき、提示制御手段３０が、キーコードの代わりに、当該キーコードを連想させるヒントを供給する機能を果たすようにし、情報提示手段５０が、キーコードの代わりに、当該キーコードを連想させるヒントを提示するようにすれば、広告提示対象者には、キーコードそれ自身を明示的に提示する代わりに、当該キーコードを連想させるヒントを提示することができる。ヒントは、たとえば、クイズ形式で提示することができる。
【００６７】
具体例を示すと、たとえば、次のような運用が可能になる。いま、キーコード準備手段２０によって、「リンゴ」なるキーコードとともに、この「リンゴ」なるキーコードを連想させるヒントとして、「ニュートンにひらめきを与えた果実は何でしょう？」なるクイズが用意されていたとしよう。この場合、情報提示手段５０によって広告提示対象者に明示的に提示されるのは、このクイズ（「リンゴ」なるキーコードを連想させるヒント）だけということになるが、このクイズは、「リンゴ」なるキーコードを暗示的に提示していることになる。広告提示対象者は、画面などに一時的に表示された「ニュートンにひらめきを与えた果実は何でしょう？」なるクイズ形式のヒントの解答として、「リンゴ」なるキーコードを入手することになり、サービス提示手段４０によって、このキーコード「リンゴ」についての一致判断が行われる。もちろん、特定のキーコードを連想させるヒントは、必ずしもクイズ形式ものに限定されるものではない。たとえば、「リンゴ」なるキーコードを連想させるヒントとして、「リンゴの写真」、「リンゴのイラスト」、「リンゴの外観を示す図形」などを用いてもかまわない。
【００６８】
【発明の効果】
以上のとおり、本発明に係る広告情報の提示システムによれば、広告情報の提示中に一時的に提示されるキーコードの入手に基き、所定のサービスが提供されるようにしたため、広告提示対象者による広告閲覧率を向上させることが可能になる。
【図面の簡単な説明】
【図１】本発明の代表的な実施形態に係る広告情報の提示システムの構成を示すブロック図である。
【図２】図１に示すシステムにおける広告情報格納手段１０内に格納された広告情報を構成する画像データおよび音声データの一例を示す図である。
【図３】図１に示すシステムにおけるディスプレイ装置５１Ａ上のキーコードの提示例を示す図である。
【図４】図１に示すシステムにおけるサービス提供手段４０からダウンロードされる応募ファイル７０の内容の一例を示す図である。
【図５】図１に示すシステムにおけるディスプレイ装置５１Ａ上に、複数の異なるキーコードが提示された例を示す図である。
【符号の説明】
１０…広告情報格納手段
２０…キーコード準備手段
３０…提示制御手段
４０…サービス提供手段
５０Ａ，５０Ｂ…情報提示手段
５１Ａ，５１Ｂ…ディスプレイ装置
５２Ａ，５２Ｂ…スピーカ装置
６０…端末装置
６０Ａ…携帯電話
６０Ｂ…パソコン
７０…応募ファイル
７１…応募説明欄
７２…キーコード入力欄
７３…広告欄
Ａ，Ｂ…広告提示対象者
Ｎ…インターネット
【図１】
2004029495.tif 000003
【図２】
2004029495.tif 000004
【図３】
2004029495.tif 000005
【図４】
2004029495.tif 000006
【図５】
2004029495.tif 000007